(57)【要約】【課題】省スペースでかつ簡易な構造で施錠状態をロックするロック部材を設け、かつロック部材を外部から操作するという不正が行なわれ難い遊技機の施錠装置を提供する。【解決手段】ベースプレート１５にはシリンダー錠Ｓが取り付けられるシリンダー取付部２６が設けられ、該シリンダー取付部２６の背面側にスライド錠Ｒの施錠位置から外力による移動を規制しシリンダー錠Ｓの開錠方向の回転によりカム２９に設けられた第２爪部２９ｂの作用によりスライド錠Ｒの移動規制を解除するロック部材３１が設けられている。【選択図】図４
2009160023.tif 000002
【特許請求の範囲】
【請求項１】
遊技機の外形を規定する矩形状の外枠に開閉自在に設けられる内枠の開放側を施錠する遊技機の施錠装置であって、
前記内枠の開放側に縦枠部に沿って設けられるベースプレートと、
前記ベースプレートに組み付けられ、外枠に設けられる係合部材と係合して施錠し、シリンダー錠を所定方向へ回転させると当該シリンダー錠とともに回転するカムの第１爪部と係合して開錠するスライド錠とを具備し、
前記ベースプレートには前記シリンダー錠が取り付けられるシリンダー取付部が設けられ、該シリンダー取付部の背面側に前記スライド錠の施錠位置から外力による移動を規制し前記シリンダー錠の開錠方向の回転により前記カムに設けられた第２爪部の作用により前記スライド錠の移動規制を解除するロック部材が設けられている遊技機の施錠装置。
【請求項２】
前記シリンダー取付部の背面側に、前記ロック部材に回転可能に連繋し内枠の開閉動作に応じて所定方向に回転して当該ロック部材に回転軸回りの回転モーメントを作用させる連結部材が設けられている請求項１記載の遊技機の施錠装置。
【請求項３】
前記ロック部材はスライド錠のスライド方向と平行な回転軸を中心に回転可能に支持されており、前記連結部材がシリンダー取付部と弾性部材を介して連繋することにより前記ロック部材は回転軸回りに作用する回転モーメントによって解除位置へ付勢されている請求項２記載の遊技機の施錠装置。
【請求項４】
前記スライド錠が係合する板状の外枠係合部材が、前記シリンダー取付部と対向配置されている請求項１乃至４のいずれか１項に記載の遊技機の施錠装置。
【発明の詳細な説明】
【技術分野】
【０００１】
本発明は、遊技機の施錠装置に関する。
【背景技術】
【０００２】
パチンコ機などの遊技機には、遊技機の外形をなす外枠に対して内枠が開閉可能に設けられ、該内枠には前面枠が開閉可能に設けられている。内枠及び前面枠は、パチンコ遊技機を正面視して外枠左側の縦枠部の上下に設けられたヒンジを中心に各々開閉可能に設けられている。
【０００３】
内枠には遊技盤が着脱可能に組み付けられている。遊技盤には遊技領域を形成する内外レールが設けられており、その遊技領域には図柄表示装置（液晶表示装置）遊技釘、入賞口、大入賞口、電動チューリップなどの盤面部品やアウトロなどが設けられている。また、前面枠にはガラス枠が設けられており、該ガラス枠の下部には遊技球を貯留する受け皿や発射装置を起動するハンドルなどが設けられている。
【０００４】
上述した遊技機の外枠と内枠、内枠と前面枠は施錠装置により各々施錠されている。施錠装置の一例について説明すると、内枠の開放端裏面側に上下方向に沿って断面Ｌ字状のベースプレートが固定されている。ベースプレートの起立壁にはスライド部材がスライド可能に連繋している。スライド部材には係合フックが一体若しくは傾動可能に設けられている。スライド部材は、係合フックが外枠の縦枠部に内枠側に突設された係合金具と係合する施錠位置と係合解除する開錠位置との間をスライドする。スライド部材は常時施錠位置にあるようにばねにより一方向へ付勢されている。シリンダー錠を所定方向へ回転させるとカムに連繋するスライド部材が施錠位置から開錠位置へスライドし、このままの状態で外枠に対して内枠若しくは内枠に対して前面枠を開放できるようになっている。
【０００５】
上述した遊技機の外枠と内枠の間、内枠と前面枠との間に隙間ができると、針金などを隙間に差し込んでスライド部材をスライドさせ、内枠や前面枠を開放するという不正行為が行なわれるおそれがある。そこで、施錠状態にあるスライド部材の移動を規制するロック機構を備えた施錠装置が提案されている。
【０００６】
例えば、前面枠と本体枠を施錠する施錠装置であって、ベースプレートと該ベースプレートに組み付けられるスライド部材（連結杆）との間にロック部材とロック解除部材が隣接して設けられている。ロック部材はスライド部材を施錠位置でロックするように設けられ、施錠状態においてロック解除部材はロック部材をロック位置から移動しないように付勢されている。この施錠装置は、シリンダー錠の回転によりカムを介してロック部材のロックを解除して開錠することができ、また内枠が閉鎖状態で背面側からロック部材を手動操作してロック状態を解除できるようになっている（特許文献１参照）。
また、前枠と外枠を施錠する施錠装置であって、外枠への当接体の押圧により作動するロック体によりスライド部材（作動体）の施錠状態における移動を規制し、シリンダー錠の開錠動作によってカム及びロック体を回転させて施錠状態にあるスライド部材（作動体）を開錠し、当該ロック体に連繋する当接体が背面側へ突出する施錠装置も提案されている（特許文献２参照）。
【特許文献１】特許第３１２７２９０号公報
【特許文献２】特開２００３−３２１９５９号公報
【発明の開示】
【発明が解決しようとする課題】
【０００７】
上述した遊技機の施錠装置は、いずれもロック部材がベースプレートに対して長手方向にスライド部材（連結杆、作動体）と平行に、しかもシリンダー取付部の領域を超えて設けられる。特に、シリンダー錠が設けられるシリンダー取付部近傍の構造が大型化しやすく設置スペースが必要となるため、装置レイアウト上の制約を受ける。
また、ベースプレートに対してスライド部材と共に設けられるロック部材と複雑に連繋するロック解除機構が設けられていたり、或いは枠体を外枠に閉じる動作に合わせてロック部材を作動させてスライド部材を施錠位置でロックするように、外枠との当接による押圧力を利用するため遊技機背面側へ突出する当接体が設けられていたりするため、部品点数が多くなり組立が複雑になるので生産コストが高くなるうえに、遊技機背面側への設置スペースも必要になるという課題があった。
また、フックが設けられたスライド部材（連結杆、作動体）の施錠をロックするロック部材を設けても、シリンダー取付部の領域を超えて設けられているので、該ロック部材を外部から針金等をひっかけて不正に操作できる構造にかわりはなく、ロック部材を操作することで開錠される可能性も残る。
更には、特許文献２に示す施錠装置では、スライド部材を操作する爪部とロック解除部材を操作する爪部を兼用しているため、当該爪部に過大な負荷が加わり耐久性が低下するおそれがある。
【０００８】
本発明の目的は、省スペースでかつ簡易な構造で施錠状態をロックするロック部材を設け、かつロック部材を外部から操作するという不正が行なわれ難い遊技機の施錠装置を提供することにある。
【課題を解決するための手段】
【０００９】
本発明は上記目的を達成するため、次の構成を備える。
遊技機の外形を規定する矩形状の外枠に開閉自在に設けられる内枠の開放側を施錠する遊技機の施錠装置であって、前記内枠の開放側に縦枠部に沿って設けられるベースプレートと、前記ベースプレートに組み付けられ、外枠に設けられる係合部材と係合して施錠し、シリンダー錠を所定方向へ回転させると当該シリンダー錠とともに回転するカムの第１爪部と係合して開錠するスライド錠とを具備し、前記ベースプレートには前記シリンダー錠が取り付けられるシリンダー取付部が設けられ、該シリンダー取付部の背面側に前記スライド錠の施錠位置から外力による移動を規制し前記シリンダー錠の開錠方向の回転により前記カムに設けられた第２爪部の作用により前記スライド錠の移動規制を解除するロック部材が設けられていることを特徴とする。
【００１０】
また、前記シリンダー取付部の背面側に、前記ロック部材に回転可能に連繋し内枠の開閉動作に応じて所定方向に回転して当該ロック部材に回転軸回りの回転モーメントを作用させる連結部材が設けられていることを特徴とする。
【００１１】
また、前記ロック部材はスライド錠のスライド方向と平行な回転軸を中心に回転可能に支持されており、前記連結部材がシリンダー取付部と弾性部材を介して連繋することにより前記ロック部材は回転軸回りに作用する回転モーメントによって解除位置へ付勢されていることを特徴とする。
また、連結部材の自由端には内枠を開閉する際に外枠の係合部材と当接して転動する回転体が回転自在に設けられているのが望ましい。
【００１２】
また、前記スライド錠が係合する板状の外枠係合部材が、前記シリンダー取付部と対向配置されていることを特徴とする。
【発明の効果】
【００１３】
上述した遊技機の施錠装置を用いれば、ベースプレートにはシリンダー錠が取り付けられるシリンダー取付部が設けられ、該シリンダー取付部の背面側にスライド錠の施錠位置から外力による移動を規制しシリンダー錠の開錠方向の回転によりカムに設けられた第２爪部の作用によりスライド錠の移動規制を解除するロック部材が設けられている。これにより、遊技機を正面視してシリンダー取付部の投影面積内にロック部材が設けられるので、ロック機構が小型になり、しかもシリンダー取付部がロック部材への不正操作を防ぐ防護壁となるため不正が行なわれ難い遊技機を提供できる。
また、シリンダー錠とともに回転するカムに形成された第１爪部によりスライド錠を操作し、第２の爪部によりロック部材の操作を行なうことにより、個々の爪部にかかる負荷の大きさを軽減して施錠装置の耐久性を向上することができる。
【００１４】
また、シリンダー取付部の背面側に、ロック部材に回転可能に連繋し内枠の開閉動作に応じて所定方向に回転して当該ロック部材に回転軸回りの回転モーメントを作用させる連結部材が設けられていると、シリンダー錠を開錠して内枠を開閉するだけで連結部材を介してロック部材が回転軸を中心に所定方向へ回転するので、スライド錠のロック、ロック解除の切り替えを簡易な構成で実現することができる。
これにより、遊技機を正面視してシリンダー取付部の投影面積内に連結部材が設けられるので、ロック機構が小型になり、しかもシリンダー取付部が連結部材への不正操作を防ぐ防護壁となるため不正が行なわれ難い遊技機を提供できる。
【００１５】
ロック部材はスライド錠のスライド方向と平行な回転軸を中心に回転可能に支持されており、連結部材がシリンダー取付部と弾性部材を介して連繋することによりロック部材は回転軸回りに作用する回転モーメントによって解除位置へ付勢されていると、ロック部材はシリンダー錠を開錠して内枠を開放する際には解除位置で保持されるので、操作性がよい。
特に、連結部材の自由端には内枠を開閉する際に外枠の係合部材と当接して転動する回転体が回転自在に設けられていると、内枠を開閉する際に連結部材と係合部材との過大な接触力を回転体の転動による連結部材の回転により逃がすことができ、ロック機構を保護するとともにロック及びロック解除動作の切り替え操作がスムーズに行なえる。
【００１６】
また、スライド錠が係合する板状の外枠係合部材がシリンダー取付部と対向配置されていると、遊技機前面側はシリンダー取付部に覆われ、背面側は外枠係合部材により覆われ、側面部をベースプレートに囲まれた空間領域にロック部材と連結部材が設けられるので、ロック部材を外部から操作するという不正行為が行なわれ難く防犯効果を高めることができる。
【発明を実施するための最良の形態】
【００１７】
以下、本発明に係る遊技機の施錠装置の実施形態について図面を参照しながら具体的に説明する。
図１においてパチンコ遊技機の概略構成について説明する。遊技機１は、外枠２と遊技盤３が設けられた内枠４（図２参照）と、該内枠４を覆う前面枠５を備えている。内枠４はヒンジ４ａにより外枠２に対して開閉可能に取り付けられている。また、前面枠５は内枠４に対して開閉可能に取り付けられている（ヒンジ部図示せず）。前面枠５の中央部には遊技者が遊技盤３を透視する窓部６が設けられている。該窓部６の周囲にスピーカーや光透過性樹脂材よりなる装飾部材７などが設けられている。前面枠５の下方には貸球や賞球を貯留し図示しない発射装置へ球を誘導する上球受け皿８ａ、その下方には上受け皿８ａの余剰球を貯留する下球受け皿８ｂ、下球受け皿８ｂの左側にタバコの吸殻を収容する灰皿９、下球受け皿８ｂの右側に遊技盤３に遊技球を打ち出すためのハンドル１０が各々設けられている。前面枠５には内枠４に設けられるシリンダー錠Ｓが背面側より挿入される鍵穴部１１が設けられている。
【００１８】
また、図２において、遊技機背面側には、液晶表示装置の画像処理制御基板、遊技機の主制御基板、賞球払出装置の払出制御基板などを有する制御部１２が設けられている。外枠２の縦枠部２ａの内壁面には、スライド錠Ｒの外枠用フック部２０と係合する板状の外枠係合部材１３が長手方向に２箇所に設けられている。また、前面枠５の開放端側裏面にはスライド錠Ｒの前面枠用フック部２３（図３参照）と係合する前面枠係合部材１４が３箇所に設けられている。
【００１９】
また、内枠４の開放側背面には外枠２の縦枠部２ａに沿ってスライド錠Ｒが設けられている。スライド錠Ｒは、外枠２と内枠４を施錠し、内枠４と前面枠５を各々施錠するようになっている。前面枠５の前面側より鍵穴部１１に鍵を差し込み、後述するシリンダー錠Ｓ（図３参照）を一方へ回転することにより内枠４が開錠され、また、シリンダー錠Ｓ（図３参照）を他方へ回転することにより前面枠５が開錠されるようになっている。
【００２０】
図３において、スライド錠Ｒは、内枠４（図２参照）の開放側背面に断面コ字状のベースプレート１５が支持壁（凹部）１５ａを内枠４内方に向け、対向する一方の側壁１５ｂを内枠４背面に沿わせ他方の側壁１５ｃを内枠４後方に向けて一体に組み付けられる。上記支持壁１５ａには手前側より第１スライド部材１６、第２スライド部材１７が互いに隣接してベースプレート１５の長手方向へスライド可能に組み付けられている。
【００２１】
第１スライド部材１６及び第２スライド部材１７には各々長孔１６ａ，１７ａが長手方向に設けられており、ピン１８が長孔１６ａ，１７ａを介して支持壁１５ａに固定されている。第１スライド部材１６の上端側係止部１６ｂと支持壁１５ａに設けられた係止部１５ｆ及び第２スライド部材１７の下端側係止部１７ｂと支持壁１５ａに設けられた係止部１５ｇとの間にはスライド部材付勢ばね１９が各々設けられている。このスライド部材付勢ばね１９により第１スライド部材１６は常時上方に付勢されており、第２スライド部材１７は常時下方に付勢されている。
【００２２】
図３において、第１スライド部材１６の上端側及び下端側には外枠用フック部２０がスライド本体部２１より突設されている。外枠用フック部２０は、側壁１５ｃに設けられた切欠き部１５ｄより各々後方に突設され（図２参照）、対向配置された外枠係合部材１３の下端側に係合するようになっている。
スライド本体部２１に突設された外枠用フック部２０と反対側縁部はＬ字状に折り曲げられた折曲げ部２２が設けられている。
【００２３】
また、図３において、第２スライド部材１７には前面枠用フック部２３がスライド本体部（図示せず）より突設されている。前面枠用フック部２３は側壁１５ｂに設けられた切欠き部１５ｅより前方に突設され、対向配置された前面枠係合部材１４(図２参照)の上端側に係合するようになっている。スライド本体部（図示せず）に突設された前面枠用フック部２３と反対側縁部はＬ字状に折り曲げられた折曲げ部２５が設けられている。
【００２４】
折曲げ部２５を側壁１５ｃの内壁面に沿わせ前面枠用フック部２３を切欠き部１５ｅより前方に突設させて第２スライド部材１７をベースプレート１５の支持壁１５ａにならって配置し、更に折曲げ部２２を側壁１５ｂの内壁面に沿わせ外枠用フック部２０を切欠き部１５ｄより後方に突設させて第１スライド部材１６を第２スライド部材１７と隣接して組み付けられている。
【００２５】
図４はスライド錠Ｒの長手方向で下側半分を示す斜視図である。ベースプレート１５の側壁１５ｂの一部には、シリンダー取付部２６が側壁１５ｂを延設した形態で一体に設けられている。シリンダー取付部２６の前面側にはシリンダー錠Ｓが取り付けられている。シリンダー錠Ｓのシリンダー本体２７は、前面枠５を内枠４に閉じた状態で鍵穴部１１に挿入されるように配置されている（図２参照）。
【００２６】
図４において、シリンダー取付部２６の背面側には、シリンダー軸２８の軸端にカム２９が一体に固定されている。カム２９には第１爪部２９ａ、第２爪部２９ｂ、第３爪部２９ｃが所定間隔で外側に向けて突設されている。第１爪部２９ａは、第１スライド部材１６のスライド本体部２１の切欠き部２１ａに挿入可能に設けられている。また、第２爪部２９ｂは、後述するロック部材３１に設けられる膨出部３５ａを押圧可能に設けられている。また、第３爪部２９ｃは第２スライド部材１７の切欠き部１７ｃに挿入可能に設けられている。
【００２７】
図４において、シリンダー取付部２６の背面側には、軸固定部３０が当該シリンダー取付部２６と直交する方向に折り曲げて形成されている。この軸固定部３０にはロック部材３１が回転軸３２を中心に回転可能に設けられている。回転軸３２は、第１スライド部材１６のスライド方向と平行に軸固定部３０に設けられている。ロック部材３１は第１スライド部材１６の施錠位置から外力による移動を規制し、当該第１スライド部材１６の開錠動作に連繋して移動規制状態が解除されるようになっている。
【００２８】
図５において、ロック部材３１は軸固定部３０上に回転軸３２を中心にロックアーム３３が回転可能に組み付けられている。このロックアーム３３の一端側には、突片３４が形成されている。突片３４は施錠位置にある第１スライド部材１６の折曲げ部２２の切欠き部２２ａに進入して係止し、施錠位置にある第１スライド部材１６の開錠方向への移動を阻止する。ロックアーム３３の他端側には起立部３５が一体に設けられている。起立部３５は第１スライド部材１６のスライド方向（軸固定部３０に対して鉛直上方）と平行に起立形成されている。この起立部３５の先端部にはカム２９の第２爪部２９ｂに当接可能な膨出部３５ａが形成されている。
【００２９】
また、図５において、ロックアーム３３には、支点３６を通じて湾曲形状をした連結部材３７の一端が回転可能に連結されている。連結部材３７の他端（自由端）にはローラ３８が回転自在に取り付けられている。ローラ３８は、ゴム材、樹脂材などのローラが用いられ、内枠４を外枠２に対して開閉する際に外枠側係合部材１３の内枠４の対向面１３ａに当接して転動するように設けられている。
【００３０】
また、図５において、連結部材３７の係止部３７ａと軸固定部３０の係止部３０ａとの間には連結部材付勢ばね３９が係止している。連結部材３７はロックアーム３３と支点３６において連繋し、第１スライド部材１６に対する規制解除後のロック部材３１の回転位置を保持する。即ち、連結部材３７は連結部材付勢ばね３９によりロック部材３１に回転軸回りに作用する回転モーメント（図４の回転軸３２を中心に反時計回り方向の回転モーメント）によって当該ロック部材３１が規制解除する向きに常時付勢されている。
【００３１】
また、図４において、シリンダー取付部２６とベースプレート１５と内枠４の側面部に囲まれた空間内において、ロック部材３１と該ロック部材３１の回転を規制する連結部材３７を設けたので、ロック機構が小型になりかつ不正が行なわれ難い遊技機を提供できる。
また、板状の外枠係合部材１３がシリンダー取付部２６と対向配置されていると、遊技機前面側はシリンダー取付部２６に覆われ、背面側は外枠係合部材１３により覆われ、かつ側面部をベースプレート１５及び内枠４に囲まれてロック部材３１と連結部材３７が四方を囲まれて設けられるので、さらに防犯効果を高めることができる。
【００３２】
以下、施錠装置の内枠４の外枠２に対する開錠動作と施錠動作について詳細に説明する。先ず、内枠４の外枠２に対する開錠動作について説明する。図５は内枠４が外枠２（図２参照）に嵌め合わされてスライド錠Ｒが施錠状態を示す。このとき、外枠用フック部２０が外枠係合部材１３の下端縁に係合したまま第１スライド部材１６はスライド部材付勢ばね１９により施錠方向（長手方向上向き）に付勢された状態にある。また、カム２９の第１爪部２９ａはスライド本体部２１に形成された切欠き部２１ａへ進入し（図１０参照）、かつロックアーム３３の突片３４が折曲げ部２２の切欠き部２２ａへ進入して係止しており(図５参照)、第１スライド部材１６の開錠方向（長手方向下向き）への移動が阻止されている。
【００３３】
図６において、シリンダー錠Ｓに鍵を差し入れて所定方向へ回転させると、シリンダー取付板２６の背面側から見てカム２９が反時計回り方向へ回転する（図１１参照）。このとき、図１１においてカム２９が反時計回り方向へ回転すると、第２爪部２９ｂが起立部３５の膨出部３５ａに当接したまま押動してロックアーム３３が回転軸３２を中心に反時計回り方向へ回転して突片３４が切欠き部２２ａより退避する(図６参照)。ロック部材３１には、連結部材付勢ばね３９の引っ張り力により回転軸回りの回転モーメントが連結部材３７を通じて作用している。外枠用フック部２０が外枠係合部材１３の係合が外れない間（フック部２０の係止縁部２０ａに外枠係合部材１３の下端縁部１３ｂが当接している間）は、連結部材３７はローラ３８が外枠係合部材１３の対向面１３ａに当接したまま移動せずに連結部材付勢ばね３９のみが引き伸ばされる。
【００３４】
上記カム２９の反時計回り方向へのさらなる回転により第１爪部２９ａがスライド本体部２１の切欠き部２１ａの作用縁部２１ｂに当接したまま押動し（図１１参照）、第１スライド部材１６がスライド部材付勢ばね１９（図３参照）の付勢力に抗して押し下げられる。
【００３５】
そして、図７において、外枠用フック部２０の係止縁部２０ａと外枠係合部材１３との係合が外れ、内枠４を開放させる（内枠４は外枠２より手前側に回転；図２参照）と、外枠係合部材１３(図６参照)によって移動が阻まれていた連結部材３７が、連結部材付勢ばね３９が縮むことにより図７の時計回り方向へ支点３６を中心に回転する。このとき、連結部材３７は側縁部に突設された回転規制部３７ｂがロックアーム３３の側縁部３３ａに当接する位置まで回転して保持される。
【００３６】
尚、図７において、シリンダー錠Ｓから鍵を抜き取るためには再度差し入れた位置まで回転させる必要がある。このため、図１２において、シリンダー取付部２６の背面側から見てカム２９はシリンダー軸２８（図４参照）を中心に時計周り方向へ回転した位置へ復帰させる。このとき、第１爪部２９ａは切欠き部２１ａ内に進入したまま元の位置へ戻り、第１スライド部材１６がスライド部材付勢ばね１９(図３参照)により上方に引かれ、第２爪部２９ｂは起立部３５の膨出部３５ａより退避する。しかしながら、図７において、連結部材付勢ばね３９の引っ張り力によって、連結部材３７を通じてロックアーム３３に回転軸３２を中心とした底面視で反時計回り方向の回転モーメントが作用し続けるため、ロックアーム３３の回転は規制されたまま保持されている。
【００３７】
次に、内枠４の外枠２に対する施錠動作について説明する。図８は内枠４の開放端を外枠２に対して近接させる位置まで閉じた状態を示す(図２参照)。第１スライド部材１６は、スライド本体部２１に設けられた外枠用フック部２０の傾斜縁部２０ｂが外枠係合部材１３の下端縁部１３ｂに当接したままさらに内枠４を閉めようとすると、第１スライド部材１６がスライド部材付勢ばね１９(図３参照)の引っ張り力に抗して開錠方向（長手方向下向き）にスライドする。次いで、連結部材３７の自由端に設けたローラ３８が外枠係合部材１３の対向面１３ａに突き当たり、内枠４を外枠２へ更に嵌め合わせようとすると、ローラ３８が外枠係合部材１３の対向面１３ａ上を転動して連結部材３７の支点３６を中心とした底面視で反時計回り方向の回転によってロック部材３１に作用する過大な押圧力を逃がす。このとき、連結部材３７の底面視で反時計回り方向の回転によって連結部材付勢ばね３９は更に引き伸ばされる。
【００３８】
尚、図８において、ローラ３８が外枠係合部材１３の対向面１３ａに当接し内枠４（図２参照）を更に閉じようとすると、連結部材３７が支点３６を中心に底面視で反時計回り方向へ回転しようとするため、ロックアーム３３も回転軸３２を中心に同方向へ回転しようとする。しかしながら、施錠途中の第１スライド部材１６が開錠方向（長手方向下向き）へスライドしているため、ロックアーム３３の突片３４が折曲げ部２２に押し当てられたままの状態となる。このとき、突片３４の折曲げ部２２に対する押圧力が強まるのを、ローラ３８が外枠係合部材１３の対向面１３ａ上を転動しながら連結部材３７が回転し連結部材付勢ばね３９を引き伸ばすことにより吸収するようになっている。
【００３９】
次に、図９において外枠用フック部２０の傾斜縁部２０ｂが外枠係合部材１３の下端縁部１３ｂとの当接が外れるまで内枠４を嵌め込むと、第１スライド部材１６はスライド部材付勢ばね１９(図３参照)の引っ張り力によって施錠方向（長手方向上方）へスライドして係止縁部２０ａが外枠係合部材１３と係合する。第１スライド部材１６が施錠方向に移動するまでは、ロックアーム３３は突片３４が折曲げ部２２に押し当てられたままの状態（図９の底面視で反時計回り方向へ付勢された状態）である。外枠用フック部２０が外枠係合部材１３と係合して長手方向上方へスライドすると、折曲げ部２２に設けられた切欠き部２２ａが突片３４と対向する時点で、当該突片３４が切欠き部２２ａと係止する。これにより、第１スライド部材１６は施錠されたまま開錠方向（長手方向下方）への移動が規制される（図５参照）。
【００４０】
なお、上記実施例は、内枠４と外枠２の施錠状態のロック機構について説明したが、内枠４と前面枠５との施錠状態のロック機構について適用することも可能である。
また、連結部材３７の自由端側に設けられるローラ３８は省略されていてもよい。
また、本発明では一例としてパチンコ遊技機の施錠装置について説明したが、他に例えばアレンジボール遊技機、パチスロ遊技機、雀球遊技機等の他の遊技機の施錠装置にも適用できる。
【図面の簡単な説明】
【００４１】
【図１】パチンコ機の正面図である。
【図２】前面枠、内枠、外枠を開放した状態の背面斜視図である。
【図３】施錠装置の斜視図である。
【図４】図３の施錠装置のシリンダー錠近傍の部分斜視図である。
【図５】施錠時のシリンダー錠近傍の状態説明図である。
【図６】開錠時のシリンダー錠近傍の状態説明図である。
【図７】内枠開放したときのシリンダー錠近傍の状態説明図である。
【図８】施錠途中を示すシリンダー錠近傍の状態説明図である。
【図９】施錠途中を示すシリンダー錠近傍の状態説明図である。
【図１０】施錠時のカム位置を示す状態説明図である。
【図１１】開錠時のカム位置を示す状態説明図である。
【図１２】内枠開放時のカム位置を示す状態説明図である。
【符号の説明】
【００４２】
Ｒ  スライド錠  
Ｓ  シリンダー錠  
１  遊技機  
２  外枠  
２ａ  縦枠部  
３  遊技盤  
４  内枠  
４ａ  ヒンジ  
５  前面枠  
６  窓部  
７  装飾部材  
８ａ  上球受け皿  
８ｂ  下球受け皿
９  灰皿  
１０  ハンドル
１１  鍵穴部  
１２  制御部  
１３  外枠係合部材  
１３ａ  対向面  
１３ｂ  下端縁部
１４  前面枠係合部材  
１５  ベースプレート  
１５ａ  支持壁  
１５ｂ，１５ｃ  側壁  
１５ｄ，１５ｅ，１７ｃ，２１ａ，２２ａ  切欠き部  
１５ｆ，１５ｇ，１７ｂ，３０ａ，３７ａ  係止部  
１６  第１スライド部材  
１６ａ、１７ａ  長孔  
１７  第２スライド部材  
１８  ピン  
１９  スライド部材付勢ばね  
２０  外枠用フック部  
２１  スライド本体部  
２２，２５  折曲げ部  
２３  前面枠用フック部  
２６  シリンダー取付部  
２７  シリンダー本体  
２８  シリンダー軸  
２９  カム  
２９ａ  第１爪部  
２９ｂ  第２爪部  
２９ｃ  第３爪部  
３０  軸固定部  
３１  ロック部材  
３２  回転軸  
３３  ロックアーム  
３４  突片  
３５  起立部  
３５ａ  膨出部  
３６  支点  
３７  連結部材  
３７ｂ  回転規制部  
３８  ローラ  
３９  連結部材付勢ばね
【図１】
2009160023.tif 000003
【図２】
2009160023.tif 000004
【図３】
2009160023.tif 000005
【図４】
2009160023.tif 000006
【図５】
2009160023.tif 000007
【図６】
2009160023.tif 000008
【図７】
2009160023.tif 000009
【図８】
2009160023.tif 000010
【図９】
2009160023.tif 000011
【図１０】
2009160023.tif 000012
【図１１】
2009160023.tif 000013
【図１２】
2009160023.tif 000014